(57)【要約】【課題】ユーザーが所望するスキャンパラメータや格納先での画像の読み取りの実行を、そのユーザー以外の他者ができるようにした画像処理装置を提供する。【解決手段】画像処理装置の受付手段は、画像読取処理に対応する処理識別子を受け付け、取得手段は、前記処理識別子に対応する処理情報を取得し、画像読取手段は、前記処理情報に基づいて画像読み取りを実行し、送信手段は、読み取った画像を前記処理情報に基づいた格納先に送信する。【選択図】図１
2017169073.tif 000002
【特許請求の範囲】
【請求項１】
画像読取処理に対応する処理識別子を受け付ける受付手段と、
前記処理識別子に対応する処理情報を取得する取得手段と、
前記処理情報に基づいて画像読み取りを実行する画像読取手段と、
読み取った画像を前記処理情報に基づいた格納先に送信する送信手段
を有する画像処理装置。
【請求項２】
前記送信手段は、読み取った画像を送信する前に格納先の情報を表示し、確認の操作を受け付けた後に該格納先に送信する、
請求項１に記載の画像処理装置。
【請求項３】
前記取得手段は、前記処理識別子に対応する処理情報をサーバーから取得する、
請求項１又は２に記載の画像処理装置。
【請求項４】
前記送信手段は、処理情報に含まれるスキャンパラメータが画像読み取りにおいて適切でない場合、その旨を、前記サーバーに送信する、
請求項３に記載の画像処理装置。
【請求項５】
前記画像読取手段は、処理識別子を受け付けた場合に、該処理識別子に対応した処理情報の依頼者を表示し、確認の操作を受け付けた後に該処理情報に基づいた画像読み取りを実行する、
請求項１から４のいずれか一項に記載の画像処理装置。
【請求項６】
コンピュータを、
画像読取処理に対応する処理識別子を受け付ける受付手段と、
前記処理識別子に対応する処理情報を取得する取得手段と、
前記処理情報に基づいて画像読み取りを実行する画像読取手段と、
読み取った画像を前記処理情報に基づいた格納先に送信する送信手段
として機能させるための画像処理プログラム。
【発明の詳細な説明】
【技術分野】
【０００１】
本発明は、画像処理装置及び画像処理プログラムに関する。
【背景技術】
【０００２】
特許文献１には、外部機器からスキャン指示を受け付けリモートモードで動作中において、原稿が載置されるまでは、動作モードをローカルモードに切り換えるための割り込み指示を受け付け可能にし得る画像入出力システムを提供することを課題とし、画像入出力装置は、原稿載置の有無を検出する原稿検出部と、上位装置からスキャナ要求を受信後、入力部からスキャナ要求が指示された場合において、検出結果が原稿有りであると割り込み不可と判定し、検出結果が原稿無しであると割り込み可能と判定する割り込み可否判定部と、割り込み可能と判定された場合、その後検出部が原稿有りを検出し、かつ入力部から原稿読み取り開始が指示されると、スキャナ部が原稿読み取りを行う制御部とを備え、割り込み不可と判定された場合、通信部は上位装置に対し読取準備完了の通知を送信し、上位装置はその通知を受けると、ドライバはスキャナ部が原稿読み取りを行うことが開示されている。
【０００３】
特許文献２には、ネットワークスキャナ装置の遠隔操作機能や各種送信機能を実現することができる一方、画像情報の情報漏洩対策などセキュリティを維持することができる画像情報管理システム、及び、ネットワークスキャナ装置を提供することを課題とし、少なくとも認証サーバー装置にネットワークを介して接続され、少なくともキーボードとディスプレイと制御部と記憶部とを備えたスキャナ装置であって、当該スキャナ装置本体の上方を覆うようにキーボードとディスプレイを配置し、利用者から利用者ＩＤとパスワードが入力された場合に、認証サーバー装置に送信して、ユーザー認証を依頼し、ユーザー認証の結果が正常である場合に、原稿から画像情報を読み込むよう制御し、記憶部に格納することが開示されている。
【０００４】
特許文献３には、操作者による印刷装置の選択操作を簡略化し、さらに、選択した印刷装置による印刷処理を中断することなく完了させることが可能なリモートコピーシステムを提供することを課題とし、先読み動作可能なＭＦＰを含むリモートコピーシステムであって、印刷装置の印刷能力を判定する判定手段と、先読み動作により得られた原稿の属性によって決定される印刷処理内容が、前記判定手段により実行可能であると判定された画像形成装置を、画像データを送信して印刷させる画像形成装置の候補とする候補作成手段と、候補作成手段が作成した画像形成装置の候補を表示し、操作者に画像形成装置を選択させ、選択させた画像形成装置を、印刷条件の設定が完了した後に画像データを送信して印刷させる画像形成装置とする指示手段とを備えることが開示されている。
【先行技術文献】
【特許文献】
【０００５】
【特許文献１】特開２０１１−０４１１２９号公報
【特許文献２】特開２００８−２６３５５７号公報
【特許文献３】特開２００７−０７４３７０号公報
【発明の概要】
【発明が解決しようとする課題】
【０００６】
ユーザーが、遠隔地にいる他者にスキャン操作を実行してもらう場合、ユーザー所望の設定でスキャン操作を実行させることは困難だった。
通常、ネットワークを介した環境でスキャンを実行する場合、スキャンの実行者に対して解像度、画像フォーマット、カラー／モノクロなどのスキャンパラメータの指定やスキャンした画像データの格納先を指定するといった作業が必要である。しかし、スキャンの実行者の情報機器に対するスキルが低い場合、その指定作業そのものが困難な場合がある。
本発明は、ユーザーが所望するスキャンパラメータや格納先での画像の読み取りの実行を、そのユーザー以外の他者ができるようにした画像処理装置及び画像処理プログラムを提供することを目的としている。
【課題を解決するための手段】
【０００７】
かかる目的を達成するための本発明の要旨とするところは、次の各項の発明に存する。
請求項１の発明は、画像読取処理に対応する処理識別子を受け付ける受付手段と、前記処理識別子に対応する処理情報を取得する取得手段と、前記処理情報に基づいて画像読み取りを実行する画像読取手段と、読み取った画像を前記処理情報に基づいた格納先に送信する送信手段を有する画像処理装置である。
【０００８】
請求項２の発明は、前記送信手段は、読み取った画像を送信する前に格納先の情報を表示し、確認の操作を受け付けた後に該格納先に送信する、請求項１に記載の画像処理装置である。
【０００９】
請求項３の発明は、前記取得手段は、前記処理識別子に対応する処理情報をサーバーから取得する、請求項１又は２に記載の画像処理装置である。
【００１０】
請求項４の発明は、前記送信手段は、処理情報に含まれるスキャンパラメータが画像読み取りにおいて適切でない場合、その旨を、前記サーバーに送信する、請求項３に記載の画像処理装置である。
【００１１】
請求項５の発明は、前記画像読取手段は、処理識別子を受け付けた場合に、該処理識別子に対応した処理情報の依頼者を表示し、確認の操作を受け付けた後に該処理情報に基づいた画像読み取りを実行する、請求項１から４のいずれか一項に記載の画像処理装置である。
【００１２】
請求項６の発明は、コンピュータを、画像読取処理に対応する処理識別子を受け付ける受付手段と、前記処理識別子に対応する処理情報を取得する取得手段と、前記処理情報に基づいて画像読み取りを実行する画像読取手段と、読み取った画像を前記処理情報に基づいた格納先に送信する送信手段として機能させるための画像処理プログラムである。
【発明の効果】
【００１３】
請求項１の画像処理装置によれば、ユーザーが所望するスキャンパラメータや格納先での画像の読み取りの実行を、そのユーザー以外の他者ができるようになる。
【００１４】
請求項２の画像処理装置によれば、画像の読み取りの実行者が格納先を確認した後に、画像を格納先に送信することができる。
【００１５】
請求項３の画像処理装置によれば、処理識別子に対応する処理情報をサーバーから取得することができる。
【００１６】
請求項４の画像処理装置によれば、処理情報に含まれるスキャンパラメータが画像の読み取りにおいて適切でない場合、その旨を、サーバーに送信することができる。
【００１７】
請求項５の画像処理装置によれば、処理識別子を受け付けた場合に、その処理識別子に対応した処理情報の依頼者を表示し、確認の操作を受け付けた後にその処理情報に基づいた画像読み取りを実行することができる。
【００１８】
請求項６の画像処理プログラムによれば、ユーザーが所望するスキャンパラメータや格納先での画像の読み取りの実行を、そのユーザー以外の他者ができるようになる。
【図面の簡単な説明】
【００１９】
【図１】本実施の形態の構成例についての概念的なモジュール構成図である。
【図２】本実施の形態を利用したシステム構成例を示す説明図である。
【図３】本実施の形態による処理例を示す説明図である。
【図４】本実施の形態による処理例を示すフローチャートである。
【図５】スキャン指示情報テーブルのデータ構造例を示す説明図である。
【図６】本実施の形態による処理例を示すフローチャートである。
【図７】本実施の形態による処理例を示すフローチャートである。
【図８】本実施の形態による処理例を示す説明図である。
【図９】本実施の形態による処理例を示すフローチャートである。
【図１０】本実施の形態による処理例を示すフローチャートである。
【図１１】スキャン指示情報テーブルのデータ構造例を示す説明図である。
【図１２】本実施の形態による処理例を示すフローチャートである。
【図１３】本実施の形態を実現するコンピュータのハードウェア構成例を示すブロック図である。
【発明を実施するための形態】
【００２０】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するという意味である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態にしたがって、又はそれまでの状況・状態にしたがって定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２１】
本実施の形態である画像処理装置１００は、スキャン依頼者の設定にしたがって、スキャン実施者が画像の読み取りを行うようにするものであって、図１の例に示すように、画像読取モジュール１１０、スキャン指示実行モジュール１２０、通信モジュール１８０を有している。具体的には、スキャン依頼者がスキャンパラメータや画像の格納先を指定して、スキャン実施者がスキャン指示した画像をネットワークを介して転送するものである。なお、スキャン実施者はスキャン依頼者とは異なる者である。
【００２２】
画像読取モジュール１１０は、スキャン指示実行モジュール１２０に接続されており、画像処理装置１００にセットされた文書の画像を読み取る。いわゆるスキャナである。画像は、スキャンパラメータの設定によって読み取られる。読み取る画像は、１枚であってもよいし、複数枚であってもよい。また、画像の内容は、限定するものではないが、一般的には、スキャン依頼者がスキャン実施者に指示した文書、又は、スキャン実施者がスキャン依頼者に送信したい文書である。例えば、ビジネスに用いられる文書、家系図等であってもよい。
【００２３】
スキャン指示実行モジュール１２０は、受付モジュール１３０、取得モジュール１４０、設定モジュール１５０、送信モジュール１６０、通知モジュール１７０を有しており、画像読取モジュール１１０、通信モジュール１８０に接続されている。スキャン指示実行モジュール１２０は、スキャン依頼者が指定したスキャンパラメータと画像の格納先にしたがった処理を行うものである。
受付モジュール１３０は、画像読取処理に対応する処理識別子（ＰＩＮコードともいわれる、以下、識別子ともいう）を受け付ける。例えば、画像処理装置１００に備え付けられたユーザーインタフェース装置（具体的には、タッチパネル、マウス、キーボード、マイク、カメラ等）に対して、スキャン実施者が行う操作（具体的には、タッチパネル上での操作、キー入力、音声、視線、ジェスチャ等）によって、処理識別子を受け付ける。ここでの処理識別子は、文字（数字、英字、カタカナ、ひらがな、漢字等）によって構成されている。その文字そのものをキー入力等してもよいが、その文字を読み取り可能にした情報画像の読み取りであってもよい。なお、情報画像とは、機械可読な態様で電子データを表すために体系的に作られた画像コードをいい、具体的には、１次元バーコード、２次元コード等がある。２次元コードとして、ＱＲコード（Ｑｕｉｃｋ  Ｒｅｓｐｏｎｓｅ  ｃｏｄｅ：登録商標）であってもよい。
なお、処理識別子は、事前にスキャン依頼者がスキャン実施者に連絡しておく。連絡方法としては、例えば、口頭（一般的には、スキャン実施者は遠方にいるので電話）であってもよいし、手紙であってもよいし、電子メール等で伝えてもよい。また、処理識別子を含んだ情報画像である場合は、その情報画像を印刷した書面を渡してもよいし、電子メール等で送信してもよい。スキャン実施者は、画像処理装置１００のカメラ（バーコードリーダー）に、情報画像を読み取らせることになる。
【００２４】
取得モジュール１４０は、受付モジュール１３０によって受け付けられた処理識別子に対応する処理情報（以下、スキャン指示情報ともいう）を取得する。ここで処理情報には、スキャンパラメータと画像の格納先が少なくとも含まれている。
また、取得モジュール１４０は、処理識別子に対応する処理情報をサーバーから取得するようにしてもよい。サーバーとして、例えば、図２を用いて後述するクラウドサーバー２５０等が該当する。サーバーに処理識別子を送信し、サーバーが処理識別子に対応する処理情報を送信するので、それを受信すればよい。なお、サーバー以外として、スキャン依頼者が所持しているユーザー端末２００等から送信されてきた処理情報を受信し、それを画像処理装置１００内の記憶装置に記憶しておき、その記憶装置から処理識別子に対応する処理情報を取得してもよい。
また、取得モジュール１４０は、処理識別子に対応する処理情報が複数ある場合は、その旨のエラーメッセージを表示してもよい。
【００２５】
また、取得モジュール１４０は、取得した処理情報に、画像読取モジュール１１０に対応するスキャンパラメータとして不足したものがあった場合は、操作者の操作によってその不足しているスキャンパラメータを受け付けるようにしてもよい。
また、取得モジュール１４０は、取得した処理情報に、画像読取モジュール１１０に対応するスキャンパラメータとして不足したものがあった場合は、処理情報を作成した者（前述のスキャン依頼者）に対して、その旨を電子メール等を用いて通知してもよい。そして、その返信メールに含まれるスキャンパラメータで、不足しているスキャンパラメータを補充してもよい。
【００２６】
設定モジュール１５０は、取得モジュール１４０によって取得された処理情報内のスキャンパラメータを、画像読取モジュール１１０に設定する。ここでスキャンパラメータとして、例えば、スキャンサイズ、カラー又はモノクロの指定、解像度、文書タイプ等がある。
画像読取モジュール１１０は、設定モジュール１５０によってスキャンパラメータが設定された後に、画像読み取りを実行する。つまり、画像読取モジュール１１０は、取得モジュール１４０によって取得された処理情報に基づいて画像読み取りを実行する。
また、画像読取モジュール１１０は、処理識別子を受け付けた場合に、その処理識別子に対応した処理情報のスキャン依頼者を表示し、確認の操作を受け付けた後にその処理情報に基づいた画像読み取りを実行するようにしてもよい。つまり、通知モジュール１７０が確認の操作を受け付けた場合に、画像読み取りを行うことになる。
【００２７】
また、設定モジュール１５０は、処理情報に有効期限が付加されている場合は、現在が有効期限内であるか否かを判断して、有効期限内でない場合は、処理情報内のスキャンパラメータは設定しないようにしてもよい。そして、その旨のエラーメッセージを表示して、スキャンを行えないようしてもよい。
また、設定モジュール１５０は、処理情報に暗証符号が付されている場合は、スキャン実施者の操作による暗証符号を受け付けるようにしてもよい。そして、処理情報内の暗証符号と暗証符号とが合致するか否かを判断し、合致する場合にスキャンパラメータを画像読取モジュール１１０に設定し、合致しない場合はスキャンパラメータは設定せずに、スキャンを行えないようしてもよい。
【００２８】
送信モジュール１６０は、画像読取モジュール１１０が読み取った画像を処理情報に基づいた格納先に送信する。
また、送信モジュール１６０は、画像読取モジュール１１０が読み取った画像を送信する前に格納先の情報を表示し、確認の操作を受け付けた後にその格納先に送信するようにしてもよい。つまり、通知モジュール１７０が確認の操作を受け付けた場合に、送信することになる。
また、送信モジュール１６０は、処理情報に含まれるスキャンパラメータが画像読み取りにおいて適切でない場合、その旨を、サーバーに送信するようにしてもよい。
【００２９】
通知モジュール１７０は、画像読取モジュール１１０が読み取った画像を送信する前に格納先の情報を表示し、確認の操作を受け付ける。スキャン実行者は、格納先を確認することができる。「確認の操作」とは、画像を格納先に送信することを許可することを意味する操作であり、例えば、画像処理装置１００の液晶ディスプレイ等の表示装置に表示している「ＯＫ」ボタンの押下等が該当する。また、もちろんのことながら、不許可の場合は、送信モジュール１６０はその画像を送信しない。
また、通知モジュール１７０は、受付モジュール１３０が処理識別子を受け付けた場合に、その処理識別子に対応した処理情報のスキャン依頼者を表示装置に表示し、確認の操作を受け付けるようにしてもよい。スキャン実行者は、スキャン依頼者を確認することができる。
【００３０】
通信モジュール１８０は、スキャン指示実行モジュール１２０に接続されており、外部（前述のサーバー、スキャン依頼者が所持しているユーザー端末２００等）との通信を行う。
【００３１】
図２は、本実施の形態を利用したシステム構成例を示す説明図である。
図２（ａ）に示す例では、画像処理装置１００、ユーザー端末２００、画像記憶サーバー２４０は、通信回線２９０を介してそれぞれ接続されている。通信回線２９０は、無線、有線、これらの組み合わせであってもよく、例えば、通信インフラとしてのインターネット、イントラネット等であってもよい。また、画像記憶サーバー２４０による機能は、クラウドサービスとして実現してもよい。
スキャン実行者は画像処理装置１００を利用し、スキャン依頼者はユーザー端末２００を利用する。処理情報は、ユーザー端末２００から画像処理装置１００に送信される。そして、画像処理装置１００が読み取ったスキャン画像を画像記憶サーバー２４０（処理情報内の格納先）に送信し、画像記憶サーバー２４０がそのスキャン画像を記憶し、ユーザー端末２００にそのスキャン画像を送信する。
【００３２】
図２（ｂ）に示す例では、画像処理装置１００、ユーザー端末２００、クラウドサーバー２５０は、通信回線２９０を介してそれぞれ接続されている。
処理情報は、ユーザー端末２００からクラウドサーバー２５０に格納され、画像処理装置１００がクラウドサーバー２５０から取得する。そして、画像処理装置１００が読み取ったスキャン画像をクラウドサーバー２５０（処理情報内の格納先）に送信し、クラウドサーバー２５０がそのスキャン画像を記憶し、ユーザー端末２００にそのスキャン画像を送信する。
【００３３】
図３は、本実施の形態による処理例を示す説明図である。図２（ａ）に示した例における処理例を示すものである。
従来の技術（本実施の形態を用いない技術）では、ユーザー（スキャン依頼者３８０に相当）が遠隔地にある文書のスキャン画像（デジタルデータ）を取得したい場合、その文書を遠隔地の所有者（スキャン実施者３９０に相当）にスキャンしてもらい、クラウドサーバーにアップロードしてもらうなどして取得していた。
しかし、その遠隔地にいる所有者がデジタル機器に不慣れだった場合、（ａ）実際にその遠隔地まで行き自分自身（依頼者）で文書をスキャンしてデジタルデータに変換してクラウドサーバーに格納する、（ｂ）文書を依頼者宛てに郵送してもらい、スキャン画像に変換した後に返送する、（ｃ）他のデジタル機器に慣れた人に依頼する、などしており、多大な労力を要していた。また、デジタル機器に慣れた人に依頼する場合においても、依頼者が希望するスキャンパラメータ（解像度、画像フォーマット、カラー／モノクロ等）やスキャン画像の格納先を伝え、その操作を依頼先であるスキャン実施者にしてもらう必要があるため、そのスキャン実施者の負荷は大きなものとなっていた。
【００３４】
本実施の形態では、ユーザー端末２００はスキャン依頼者３８０によって利用され、画像処理装置１００はスキャン実施者３９０によって利用される。例えば、スキャン依頼者３８０とスキャン実施者３９０は互いに遠隔地にいる。なお、必ずしも両者は遠隔地にいる必要はなく、スキャン依頼者３８０がスキャン実施者３９０にスキャンの実施を依頼するのであればよい。画像処理装置１００とユーザー端末２００と画像記憶サーバー２４０は、通信回線を介して接続されている。
【００３５】
ステップＳ３０２では、スキャン依頼者３８０の指示にしたがって、ユーザー端末２００は、画像処理装置１００に対して、識別子とスキャン指示情報を送信する。送信する情報については、図５の例を用いて後述する。
ステップＳ３０４では、スキャン依頼者３８０は、識別子をスキャン実施者３９０に連絡する。前述したように、この連絡は電話等であってもよい。
なお、ステップＳ３０２とステップＳ３０４の処理は、いずれを先に行ってもよい。
【００３６】
ステップＳ３０６では、画像処理装置１００は、スキャン実施者３９０の操作によって識別子を受け付ける。そして、識別子に対応するスキャン指示情報を取得して、そのスキャン指示情報内のスキャンパラメータにしたがって、画像読取モジュール１１０を設定する。画像処理装置１００は、文書のスキャンを行い、スキャン画像を生成する。
ステップＳ３０８では、画像処理装置１００は、スキャン指示情報内の格納先である画像記憶サーバー２４０に対してスキャン画像を格納する。
ステップＳ３１０では、ユーザー端末２００は、画像記憶サーバー２４０からスキャン画像を取得する。
【００３７】
図４は、本実施の形態による処理例を示すフローチャートである。図３の例に示したステップＳ３０２に該当する処理例である。
ステップＳ４０２では、画像処理装置１００は、ユーザー端末２００から識別子とスキャン指示情報を受け付ける。例えば、スキャン指示情報テーブル５００を受け付ける。
図５は、スキャン指示情報テーブル５００のデータ構造例を示す説明図である。スキャン指示情報テーブル５００は、識別子欄５１０、スキャン指示情報欄５２０、スキャン実行先欄５３０、スキャン画像格納先欄５４０を有している。スキャン指示情報欄５２０は、スキャンサイズ欄５２２、カラー／モノクロ欄５２４、解像度欄５２６、文書タイプ欄５２８を有している。識別子欄５１０は、識別子を記憶している。識別子は、以下の情報（スキャン指示情報欄５２０、スキャン実行先欄５３０、スキャン画像格納先欄５４０）と対応付けられている。なお、この識別子は、スキャン依頼者３８０が作成したものであってもよいし、ユーザー端末２００が自動的に生成したものであってもよい。識別子欄５１０の内容として、例えば、「１２３４５６７８９０」等がある。スキャン指示情報欄５２０は、スキャン指示情報を記憶している。スキャンサイズ欄５２２は、スキャンサイズを記憶している。スキャンサイズ欄５２２の内容として、例えば、「Ａ４」があり、他に「Ａ３」等がある。カラー／モノクロ欄５２４は、カラーであるかモノクロ等であるかを示す情報を記憶している。カラー／モノクロ欄５２４の内容として、例えば、「カラー」があり、他に「モノクロ（２値画像）」、「グレイ画像」等がある。解像度欄５２６は、解像度を記憶している。解像度欄５２６の内容として、例えば、「３００ｄｐｉ」があり、他に「４００ｄｐｉ」等がある。文書タイプ欄５２８は、文書タイプを記憶している。文書タイプ欄５２８の内容として、例えば、「ｔｉｆｆ」があり、他に「ｊｐｇ」等がある。スキャン実行先欄５３０は、スキャン実行先を記憶している。スキャン実行先欄５３０の内容は、スキャナ識別子（名称を含む）であり、例えば、「ｄｅｖｉｃｅ−ａ−ｓａｄｏ−ｍｆ」等がある。スキャン画像格納先欄５４０は、スキャン画像の格納先を記憶している。スキャン画像格納先欄５４０の内容は、スキャン画像のアップロード先の識別子であり、例えば、画像記憶サーバー２４０の格納場所を示す「ｃｌｏｕｄ：／／ｌｏｃａｌ.ｎｅｔ／ｙａｍａｇｕｃｈｉ／ｓｃａｎｄａｔａ／」等のＵＲＬ（Ｕｎｉｆｏｒｍ  Ｒｅｓｏｕｒｃｅ  Ｌｏｃａｔｏｒ）がある。
【００３８】
ステップＳ４０４では、画像処理装置１００は、ステップＳ４０２で受け付けた識別子とスキャン指示情報を記憶する。なお、スキャン実行先欄５３０の内容と画像処理装置１００の識別子を比較して、異なっている場合は、エラーメッセージ（例えば、あて先が異なる等の旨を示すメッセージ）を、ユーザー端末２００に送信するようにしてもよい。
なお、スキャンを実行するまでに、図４の例に示すフローチャートによる処理が複数回行われていてもよい。その場合、画像処理装置１００に複数のスキャン指示情報テーブル５００が格納されることになり、識別子欄５１０の識別子によって区別されることになる。
【００３９】
図６は、本実施の形態による処理例を示すフローチャートである。図３の例に示したステップＳ３０６、ステップＳ３０８に該当する処理例である。
ステップＳ６０２では、画像読取モジュール１１０は、スキャン実施者３９０の操作によるスキャン指示を受け付ける。
ステップＳ６０４では、受付モジュール１３０は、スキャン実施者３９０の操作による識別子を受け付ける。
なお、ステップＳ６０２、ステップＳ６０４の処理は、いずれを先に行ってもよい。
ステップＳ６０６では、取得モジュール１４０は、ステップＳ６０４で受け付けた識別子に対応するスキャン指示情報を取得する。
ステップＳ６０８では、設定モジュール１５０は、スキャン指示情報（具体的には、スキャン指示情報欄５２０内の内容）にしたがって、画像読取モジュール１１０の設定を行う。
ステップＳ６１０では、スキャン指示情報の設定が行われた画像読取モジュール１１０は、画像の読み取りを行う。
ステップＳ６１２では、送信モジュール１６０は、スキャン画像をスキャン画像格納先（具体的には、スキャン画像格納先欄５４０内のスキャン画像格納先）に送信する。
【００４０】
図７は、本実施の形態（画像処理装置１００、画像記憶サーバー２４０、ユーザー端末２００）による処理例を示すフローチャートである。
ステップＳ７０２では、ユーザー端末２００は、スキャン依頼者３８０の操作にしたがってスキャン指示情報テーブル５００を作成する。
ステップＳ７０４では、ユーザー端末２００は、画像処理装置１００に対して、スキャン指示情報テーブル５００を送信する。
ステップＳ７０６では、画像処理装置１００は、スキャン指示情報テーブル５００をキューに格納する。
ステップＳ７０８では、スキャン依頼者３８０は、スキャン実施者３９０に識別子を通知する。前述したように、例えば、電話等での連絡でもよい。
ステップＳ７１０では、スキャン実施者３９０は、識別子を受け取る。
【００４１】
ステップＳ７１２では、スキャン実施者３９０は、画像処理装置１００にスキャン対象文書を設置する。例えば、プラテン又は紙送り装置に文書をセットする。
ステップＳ７１４では、画像処理装置１００は、スキャンメニューの押下を検知する。
ステップＳ７１６では、画像処理装置１００は、識別子受付画面を表示する。
ステップＳ７１８では、受付モジュール１３０は、スキャン実施者３９０の操作による識別子を受け付ける。
ステップＳ７２０では、取得モジュール１４０は、識別子に対応するスキャン指示情報を抽出する。
【００４２】
ステップＳ７２２では、取得モジュール１４０は、識別子が合致するか否かを判断し、合致する場合はステップＳ７２４へ進み、それ以外の場合はステップＳ７３４へ進む。
ステップＳ７２４では、設定モジュール１５０は、スキャン指示情報にしたがって、画像読取モジュール１１０を設定する。
ステップＳ７２６では、画像処理装置１００は、スキャンボタンの押下を検知する。
ステップＳ７２８では、画像読取モジュール１１０は、スキャンを実施する。
ステップＳ７３０では、送信モジュール１６０は、画像記憶サーバー２４０に対して、スキャン画像を転送する。
ステップＳ７３２では、画像記憶サーバー２４０は、スキャン画像を格納する。
ステップＳ７３４では、スキャンを中止する。
【００４３】
図８は、本実施の形態による処理例を示す説明図である。図２（ｂ）に示した例における処理例を示すものである。本実施の形態では、画像処理装置１００とユーザー端末２００とクラウドサーバー２５０は、通信回線を介して接続されている。なお、画像処理装置１００は、スキャン実行先欄５３０によって指定されたスキャナである。
ステップＳ８０２では、スキャン依頼者３８０の指示にしたがって、ユーザー端末２００は、クラウドサーバー２５０に対して、識別子とスキャン指示情報を送信する。送信する情報は、図５の例に示したスキャン指示情報テーブル５００である。
ステップＳ８０４では、スキャン依頼者３８０は、識別子をスキャン実施者３９０に連絡する。前述したように、この連絡は電話等であってもよい。
なお、ステップＳ８０２とステップＳ８０４の処理は、いずれを先に行ってもよい。
【００４４】
ステップＳ８０６では、画像処理装置１００は、スキャン実施者３９０の操作によって識別子を受け付ける。そして、その識別子をクラウドサーバー２５０に送信する。クラウドサーバー２５０は、その識別子に対応するスキャン指示情報を抽出する。
ステップＳ８０８では、画像処理装置１００は、クラウドサーバー２５０からその識別子に対応するスキャン指示情報を受信する。
【００４５】
ステップＳ８１０では、画像処理装置１００は、スキャン指示情報内のスキャンパラメータにしたがって、画像読取モジュール１１０を設定し、スキャンを行い、スキャン画像を生成する。
ステップＳ８１２では、画像処理装置１００は、スキャン指示情報内の格納先であるクラウドサーバー２５０に対してスキャン画像を格納する。
ステップＳ８１４では、ユーザー端末２００は、クラウドサーバー２５０からスキャン画像を取得する。
【００４６】
図９は、本実施の形態（画像処理装置１００、クラウドサーバー２５０、ユーザー端末２００）による処理例を示すフローチャートである。
ステップＳ９０２では、ユーザー端末２００は、スキャン依頼者３８０の操作にしたがってスキャン指示情報テーブル５００を作成する。
ステップＳ９０４では、ユーザー端末２００は、クラウドサーバー２５０に対して、スキャン指示情報テーブル５００を送信する。
ステップＳ９０６では、クラウドサーバー２５０は、スキャン指示情報テーブル５００をキューに格納する。
ステップＳ９０８では、スキャン依頼者３８０は、スキャン実施者３９０に識別子を通知する。前述したように、例えば、電話等での連絡でもよい。
ステップＳ９１０では、スキャン実施者３９０は、識別子を受け取る。
【００４７】
ステップＳ９１２では、スキャン実施者３９０は、画像処理装置１００にスキャン対象文書を設置する。例えば、プラテン又は紙送り装置に文書をセットする。
ステップＳ９１４では、画像処理装置１００は、クラウドスキャンメニューの押下を検知する。
ステップＳ９１６では、画像処理装置１００は、識別子受付画面を表示する。
ステップＳ９１８では、受付モジュール１３０は、スキャン実施者３９０の操作による識別子を受け付ける。その識別子をクラウドサーバー２５０に送信する。
ステップＳ９２０では、クラウドサーバー２５０は、識別子に対応するスキャン指示情報を抽出し、画像処理装置１００に送信する。
【００４８】
ステップＳ９２２では、取得モジュール１４０は、識別子が合致するか否かを判断し、合致する場合はステップＳ９２４へ進み、それ以外の場合はステップＳ９３４へ進む。
ステップＳ９２４では、設定モジュール１５０は、スキャン指示情報にしたがって、画像読取モジュール１１０を設定する。
ステップＳ９２６では、画像処理装置１００は、スキャンボタンの押下を検知する。
ステップＳ９２８では、画像読取モジュール１１０は、スキャンを実施する。
ステップＳ９３０では、送信モジュール１６０は、クラウドサーバー２５０に対して、スキャン画像を転送する。
ステップＳ９３２では、クラウドサーバー２５０は、スキャン画像を格納する。
ステップＳ９３４では、スキャンを中止する。
【００４９】
図１０は、本実施の形態（画像処理装置１００、クラウドサーバー２５０、ユーザー端末２００）による処理例を示すフローチャートである。図９の例に示すフローチャートでは、識別子を受け付けた後に、スキャン指示情報を受け取るが、図１０の例では、クラウドサーバー２５０がスキャン指示情報テーブル５００を受信した後に、スキャン実行先欄５３０のスキャナにそのスキャン指示情報テーブル５００を送信しておくものである。
ステップＳ１００２では、ユーザー端末２００は、スキャン依頼者３８０の操作にしたがってスキャン指示情報テーブル５００を作成する。
ステップＳ１００４では、ユーザー端末２００は、クラウドサーバー２５０に対して、スキャン指示情報テーブル５００を送信する。
ステップＳ１００６では、クラウドサーバー２５０は、スキャン指示情報テーブル５００をキューに格納する。
ステップＳ１００８では、クラウドサーバー２５０は、画像処理装置１００に対応するスキャン指示情報を抽出し、画像処理装置１００（スキャン実行先欄５３０のスキャナ）に送信する。
ステップＳ１０１０では、スキャン依頼者３８０は、スキャン実施者３９０に識別子を通知する。前述したように、例えば、電話等での連絡でもよい。
ステップＳ１０１２では、スキャン実施者３９０は、識別子を受け取る。
【００５０】
ステップＳ１０１４では、スキャン実施者３９０は、画像処理装置１００にスキャン対象文書を設置する。例えば、プラテン又は紙送り装置に文書をセットする。
ステップＳ１０１６では、画像処理装置１００は、クラウドスキャンメニューの押下を検知する。
ステップＳ１０１８では、画像処理装置１００は、識別子受付画面を表示する。
ステップＳ１０２０では、受付モジュール１３０は、識別子を受け付ける。
ステップＳ１０２２では、取得モジュール１４０は、識別子が合致するか否かを判断し、合致する場合はステップＳ１０２４へ進み、それ以外の場合はステップＳ１０３２へ進む。
ステップＳ１０２４では、設定モジュール１５０は、スキャン指示情報にしたがって、画像読取モジュール１１０を設定する。
ステップＳ１０２６では、画像処理装置１００は、スキャンボタンの押下を検知する。
ステップＳ１０２８では、画像読取モジュール１１０は、スキャンを実施する。
ステップＳ１０３０では、送信モジュール１６０は、クラウドサーバー２５０に対して、スキャン画像を転送する。
ステップＳ１０３２では、クラウドサーバー２５０は、スキャン画像を格納する。
ステップＳ１０３４では、スキャンを中止する。
【００５１】
図１１は、スキャン指示情報テーブル１１００のデータ構造例を示す説明図である。スキャン指示情報テーブル１１００は、スキャン指示情報テーブル５００にスキャン依頼者欄１１５０を追加したものである。
スキャン指示情報テーブル１１００は、識別子欄１１１０、スキャン指示情報欄１１２０、スキャン実行先欄１１３０、スキャン画像格納先欄１１４０、スキャン依頼者欄１１５０を有している。識別子欄１１１０、スキャン指示情報欄１１２０、スキャン実行先欄１１３０、スキャン画像格納先欄１１４０は、図５の例に示したスキャン指示情報テーブル５００の識別子欄５１０、スキャン指示情報欄５２０、スキャン実行先欄５３０、スキャン画像格納先欄５４０にそれぞれ対応している。スキャン指示情報欄１１２０は、スキャンサイズ欄１１２２、カラー／モノクロ欄１１２４、解像度欄１１２６、文書タイプ欄１１２８を有している。識別子欄１１１０は、識別子を記憶している。スキャン指示情報欄１１２０は、スキャン指示情報を記憶している。スキャンサイズ欄１１２２は、スキャンサイズを記憶している。カラー／モノクロ欄１１２４は、カラーであるかモノクロであるかを記憶している。解像度欄１１２６は、解像度を記憶している。文書タイプ欄１１２８は、文書タイプを記憶している。スキャン実行先欄１１３０は、スキャン実行先を記憶している。スキャン画像格納先欄１１４０は、スキャン画像格納先を記憶している。スキャン依頼者欄１１５０は、スキャン依頼者３８０の氏名等（例えば、「田中一郎」等）を記憶している。
【００５２】
図１２は、本実施の形態による処理例を示すフローチャートである。スキャン指示情報テーブル１１００を用いた処理例である。
ステップＳ１２０２では、画像読取モジュール１１０は、スキャン実施者３９０の操作によるスキャン指示を受け付ける。
ステップＳ１２０４では、受付モジュール１３０は、スキャン実施者３９０の操作による識別子を受け付ける。
なお、ステップＳ１２０２、ステップＳ１２０４の処理は、いずれを先に行ってもよい。
ステップＳ１２０６では、取得モジュール１４０は、ステップＳ１２０４で受け付けた識別子に対応するスキャン指示情報を取得する。
ステップＳ１２０８では、通知モジュール１７０は、スキャン指示情報内のスキャン指示者を抽出し、提示する。
ステップＳ１２１０では、通知モジュール１７０は、そのスキャン指示者は正しいか否かを、スキャン実施者３９０に確認させ、正しいとの操作があった場合はステップＳ１２１４へ進み、それ以外の場合はステップＳ１２１２へ進む。
ステップＳ１２１２では、通知モジュール１７０は、エラー表示を行い、処理を終了する（ステップＳ１２９８）。
【００５３】
ステップＳ１２１４では、設定モジュール１５０は、スキャン指示情報（具体的には、スキャン指示情報欄１１２０内の内容）にしたがって、画像読取モジュール１１０の設定を行う。
ステップＳ１２１６では、スキャン指示情報の設定が行われた画像読取モジュール１１０は、画像の読み取りを行う。
ステップＳ１２１８では、送信モジュール１６０は、スキャン画像をスキャン画像格納先（具体的には、スキャン画像格納先欄１１４０内のスキャン画像格納先）に送信する。
【００５４】
図１３を参照して、本実施の形態の画像処理装置のハードウェア構成例について説明する。図１３に示す構成は、例えばパーソナルコンピュータ（ＰＣ）等によって構成されるものであり、スキャナ等のデータ読み取り部１３１７と、プリンタ等のデータ出力部１３１８を備えたハードウェア構成例を示している。
【００５５】
ＣＰＵ（Ｃｅｎｔｒａｌ  Ｐｒｏｃｅｓｓｉｎｇ  Ｕｎｉｔ）１３０１は、前述の実施の形態において説明した各種のモジュール、すなわち、スキャン指示実行モジュール１２０、受付モジュール１３０、取得モジュール１４０、設定モジュール１５０、送信モジュール１６０、通知モジュール１７０、通信モジュール１８０等の各モジュールの実行シーケンスを記述したコンピュータ・プログラムにしたがった処理を実行する制御部である。
【００５６】
ＲＯＭ（Ｒｅａｄ  Ｏｎｌｙ  Ｍｅｍｏｒｙ）１３０２は、ＣＰＵ１３０１が使用するプログラムや演算パラメータ等を格納する。ＲＡＭ（Ｒａｎｄｏｍ  Ａｃｃｅｓｓ  Ｍｅｍｏｒｙ）１３０３は、ＣＰＵ１３０１の実行において使用するプログラムや、その実行において適宜変化するパラメータ等を格納する。これらはＣＰＵバス等から構成されるホストバス１３０４により相互に接続されている。
【００５７】
ホストバス１３０４は、ブリッジ１３０５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バス等の外部バス１３０６に接続されている。
【００５８】
キーボード１３０８、マウス等のポインティングデバイス１３０９は、操作者により操作されるデバイスである。ディスプレイ１３１０は、液晶表示装置又はＣＲＴ（Ｃａｔｈｏｄｅ  Ｒａｙ  Ｔｕｂｅ）等があり、各種情報をテキストやイメージ情報として表示する。また、ポインティングデバイス１３０９とディスプレイ１３１０の両方の機能を備えているタッチスクリーン等であってもよい。
【００５９】
ＨＤＤ（Ｈａｒｄ  Ｄｉｓｋ  Ｄｒｉｖｅ）１３１１は、ハードディスク（フラッシュ・メモリ等であってもよい）を内蔵し、ハードディスクを駆動し、ＣＰＵ１３０１によって実行するプログラムや情報を記録又は再生させる。ハードディスクには、スキャン画像、処理情報（スキャンパラメータ、画像の格納先）等が格納される。さらに、その他の各種データ、各種コンピュータ・プログラム等が格納される。
【００６０】
ドライブ１３１２は、装着されている磁気ディスク、光ディスク、光磁気ディスク、又は半導体メモリ等のリムーバブル記録媒体１３１３に記録されているデータ又はプログラムを読み出して、そのデータ又はプログラムを、インタフェース１３０７、外部バス１３０６、ブリッジ１３０５、及びホストバス１３０４を介して接続されているＲＡＭ１３０３に供給する。なお、リムーバブル記録媒体１３１３も、データ記録領域として利用可能である。
【００６１】
接続ポート１３１４は、外部接続機器１３１５を接続するポートであり、ＵＳＢ、ＩＥＥＥ１３９４等の接続部を持つ。接続ポート１３１４は、インタフェース１３０７、及び外部バス１３０６、ブリッジ１３０５、ホストバス１３０４等を介してＣＰＵ１３０１等に接続されている。通信部１３１６は、通信回線に接続され、外部とのデータ通信処理を実行する。データ読み取り部１３１７は、例えばスキャナであり、ドキュメントの読み取り処理を実行する。データ出力部１３１８は、例えばプリンタであり、ドキュメントデータの出力処理を実行する。
【００６２】
なお、図１３に示す画像処理装置のハードウェア構成は、１つの構成例を示すものであり、本実施の形態は、図１３に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続している形態でもよく、さらに図１３に示すシステムが複数互いに通信回線によって接続されていて互いに協調動作するようにしてもよい。また、特に、複写機、ファックス、スキャナ、プリンタ、複合機（スキャナ、プリンタ、複写機、ファックス等のいずれか２つ以上の機能を有している画像処理装置）などに組み込まれていてもよい。
【００６３】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通等のために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラムの全体又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、又は無線通信ネットワーク、さらにこれらの組み合わせ等の伝送媒体を用いて伝送させてもよく、また、搬送波に乗せて搬送させてもよい。
さらに、前記のプログラムは、他のプログラムの一部分又は全部であってもよく、又は別個のプログラムと共に記録媒体に記録されていてもよい。また、複数の記録媒体に分割して記録されていてもよい。また、圧縮や暗号化等、復元可能であればどのような態様で記録されていてもよい。
【符号の説明】
【００６４】
１００…画像処理装置
１１０…画像読取モジュール
１２０…スキャン指示実行モジュール
１３０…受付モジュール
１４０…取得モジュール
１５０…設定モジュール
１６０…送信モジュール
１７０…通知モジュール
１８０…通信モジュール
２００…ユーザー端末
２４０…画像記憶サーバー
２５０…クラウドサーバー
２９０…通信回線
【図１】
2017169073.tif 000003
【図２】
2017169073.tif 000004
【図３】
2017169073.tif 000005
【図４】
2017169073.tif 000006
【図５】
2017169073.tif 000007
【図６】
2017169073.tif 000008
【図７】
2017169073.tif 000009
【図８】
2017169073.tif 000010
【図９】
2017169073.tif 000011
【図１０】
2017169073.tif 000012
【図１１】
2017169073.tif 000013
【図１２】
2017169073.tif 000014
【図１３】
2017169073.tif 000015